(57)【要約】【課題】本発明は、室内機と室外機を接続する冷媒管の挿通用孔として家屋の壁に設けられる貫通孔に電気接続具を挿通し、貫通孔の数を増やすことなく電気配線作業の容易化を得られ、作業性の向上を図れる空気調和機を提供する。【解決手段】室内機Ｓと、室外機Ｄと、これら室内機Ｓと室外機Ｄとを接続する冷媒管１および電気配線２とを具備し、連結体６と、この連結体の両側部に設けられるコンセント７Ａ，７Ｂを備え、これらコンセント相互を連結体を介して電気的に接続してなる電気配線具５を備え、家屋の壁Ｈに設けられる貫通孔３に、室内機から延出される冷媒管を挿通して室外機に接続し、貫通孔に電気配線具を挿通してコンセントを壁から室内側と室外側に露出し、各コンセントに室内機と室外機のそれぞれから延出した電気配線を接続する。【選択図】    図１
2010255990.tif 000002
【特許請求の範囲】
【請求項１】
室内機と、室外機と、これら室内機と室外機とを接続する冷媒管および電気配線と、を具備する空気調和機において、
連結体の両側部に相互に電気接続された電気接続部が設けられ、これら電気接続部相互を前記連結体を介して電気的に接続してなる電気配線具を備え、
家屋の壁に設けられる貫通孔に、室内機から延出される冷媒管を挿通して室外機に接続するとともに、前記貫通孔に前記電気配線具の連結体を挿通して両側部の電気接続部を前記壁から室内側と室外側に露出し、
室内機と室外機のそれぞれから延出される前記電気配線が、前記電気配線具の室内側と室外側に露出する電気接続部に接続されるよう構成される
ことを特徴とする空気調和機。
【請求項２】
前記電気配線具を構成する連結体は、軸方向に沿って伸縮自在とし、貫通孔が設けられる壁の厚みに対応可能としたことを特徴とする請求項１記載の空気調和機。
【発明の詳細な説明】
【技術分野】
【０００１】
本発明は、室内機と室外機とに分離されたタイプの空気調和機に係り、特に、室内機と室外機とを電気的に接続する電気配線構造の改良に関する。
【背景技術】
【０００２】
一般的に多用される空気調和機は、室内に設置される室内機と、屋外に配置される室外機とからなる、いわゆる分離型である。これら室内機と室外機は、往復２本の冷媒管と、２本の電源線および１本の信号線の、合計３本の電気配線で互いに接続される。さらに、室内機に接続されるドレンホースを、屋外側へ延出しなければならない。
【０００３】
前記分離型空気調和機の据付けにあたって、家屋の壁に貫通孔を設ける。室内機と室外機を所定の部位に取付けた後、室内機から２本の冷媒管とドレンホースを延出させ、これらをまとめて貫通孔に挿通する。そして、冷媒管とドレンホースを、断熱材を介してテープで巻装し、冷媒管は室外機に接続し、ドレンホースは屋外側で開口する。
【０００４】
そのあと、室内機から電気配線を延出し、これらをまとめて貫通孔に挿通する作業を行う。このとき既に、貫通孔には冷媒管等が挿通しているので、残りのスペースが僅かしかない。しかも、電気配線自体が柔軟であるので、貫通孔に挿通する作業が極めて面倒である。たとえ冷媒管と電気配線との挿入順序を逆にしても、同様のことが言える。
【０００５】
そこで、［特許文献１］には、室内と室外とを隔てる渡り部分（家屋の壁）に、室内側および室外側に向けてコンセントを備えた接続具を設け、室内機および室外機に設けられたプラグを、それぞれのコンセントに挿入する技術が開示されている。これにより、室内機と室外機は接続具を介して電気的に接続されることになる。
【先行技術文献】
【特許文献】
【０００６】
【特許文献１】特開２００８−１５７５６４号公報
【発明の概要】
【発明が解決しようとする課題】
【０００７】
上記［特許文献１］によれば、家屋の壁に取付けた接続具に、室内側と室外側に向けたコンセントが設けられているので、室内機と室外機から延出した電気配線先端のプラグを前記コンセントに挿入すれば、配線作業が終了する。したがって、室内機と室外機との電気配線作業が容易になる。
【０００８】
しかしながら、その一方で、家屋の壁に別途、貫通孔を設け、ここに２本の冷媒管とドレンホースを挿通する作業を必要とすることは変りがない。貫通孔の孔径は、従来のものよりもわずかに小さくすることも可能であるが、貫通孔自体を不要化することはできず、貫通孔加工は依然として行わなければならない。
【０００９】
このように、［特許文献１］の技術では、家屋の壁に、接続具取付け用の貫通孔と、冷媒管挿通用の貫通孔との、２個の孔部を互いに近接した部位に設ける必要があり、作業者にとって手間がかかる。また、ユーザーによっては、極力、壁面に孔を空けたくないという要求がある場合も多く、本来、１個の貫通孔ですむところ、２個の貫通孔を設けることに拒絶反応を示す虞れもある。
【００１０】
本発明は上記事情にもとづきなされたものであり、その目的とするところは、室内機と室外機を接続する冷媒管の挿通用孔として家屋の壁に設けられる貫通孔に電気接続具を挿通し、貫通孔の数を増やすことなく電気配線作業の容易化を得られ、作業性の向上を図れる空気調和機を提供しようとするものである。
【課題を解決するための手段】
【００１１】
上記目的を満足するため本発明の空気調和機は、室内機と、室外機と、これら室内機と室外機とを接続する冷媒管および電気配線とを具備し、連結体の両側部に相互に電気接続された電気接続部を設け、これら電気接続部相互を連結体を介して電気的に接続してなる電気配線具を備え、  
家屋の壁に設けられる貫通孔に、室内機から延出される冷媒管を挿通して室外機に接続するとともに、貫通孔に電気配線具の連結体を挿通して両側部の電気接続部を壁から室内側と室外側に露出させ、室内機と室外機のそれぞれから延出される電気配線を電気配線具の室内側と室外側に露出する電気接続部に接続する。
【発明の効果】
【００１２】
本発明によれば、貫通孔の数を増やすことなく電気配線作業の容易化を得られ、作業性の向上を図れるという効果を奏する。
【図面の簡単な説明】
【００１３】
【図１】本発明における実施の形態に係る、空気調和機の配置構造を説明する図。
【図２】本発明における第１の実施の形態に係る、電気配線具の斜視図と、連結体の側面視構造を説明する図。
【図３】同実施の形態に係る、電気配線具を家屋の壁の貫通孔に挿入する作業を順に説明する図。
【図４】本発明における第２の実施の形態に係る、家屋の壁に取付けられた電気配線具の一部縦断面図。
【図５】同実施の形態に係る、壁の厚みの相違に対応して取付けられる電気配線具の一部縦断面図。
【図６】本発明における第３の実施の形態に係る、電気配線具を家屋の壁の貫通孔に挿入する作業を順に説明する図。
【図７】同実施の形態に係る、家屋の壁に取付けられる電気配線具の一部縦断面図。
【発明を実施するための形態】
【００１４】
以下、本発明の実施の形態を、図面にもとづいて説明する。  
図１は、空気調和機の構成を模式的に示す図である。  
空気調和機は、室内Ｒの壁Ｈに取付けられる、いわゆる壁掛け型と呼ばれる室内機Ｓと、この室内機Ｓの可能な限り近傍部位で、屋外Ｏに配置される室外機Ｇとを備えている。室内機Ｓと室外機Ｇは、冷媒管１および電気配線２で接続されていて、これら冷媒管１と電気配線２は、前記壁Ｈに設けられる貫通孔３を、後述するようにして挿通される。
【００１５】
詳細に示していないが、前記冷媒管１は、室外機Ｇから室内機Ｓへ導かれる冷媒の流通路としての冷媒管と、室内機Ｓから室外機Ｇに戻る冷媒の流通路としての冷媒管との、２本の冷媒管が並行する。これら冷媒管とともに、室内機Ｓに接続されるドレンホース４が断熱材を介してテープに巻装され、ドレンホース４のみ屋外Ｏで開口される。
【００１６】
前記電気配線２は、２本の電源線と、１本の信号線からなり、１本の電気配線としてまとめられる。前記電気配線２は、室内機Ｓと室外機Ｇのそれぞれから延出されていて、先端部にはプラグＰが設けられ、貫通孔３に取付けられる電気配線具５に電気的に接続される。
【００１７】
図２（Ａ）は、第１の実施の形態での電気配線具５の斜視図である。  
この電気配線具５は、軸方向の長さ寸法が前記壁Ｈの厚さ寸法と、少なくとも同一、もしくは壁Ｈの厚さ寸法よりもある程度大に設定された連結体６と、この連結体６の両側端に設けられる電気接続部７Ａ，７Ｂとから構成される。
【００１８】
前記連結体６は、たとえば硬質の合成樹脂材から成形される中空筒体であり、内部に図示しない内部電気配線が収容される。電気接続部７Ａ，７Ｂとして、たとえばコンセントが用いられるが、差込型の速結端子、いわゆるＳＬコネクタであってもよい。各コンセント７Ａ，７Ｂは連結体６内に収容される内部電気配線を介して電気的に接続される。
【００１９】
各コンセント７Ａ，７Ｂの表面から裏面に亘って、取付けねじ挿通用の取付け用孔８が設けられる。この取付け用孔８は、ここに挿通される取付け用ねじ１０の先端が、コンセント７Ａ，７Ｂ裏面から突出できるように開口される。  
各コンセント７Ａ，７Ｂの、図における上端部に連結体６が連結されているところから、電気配線具５全体としての正面視が逆Ｕ字状（もしくは、下向きのコ字状）に形成される。
【００２０】
図２（Ｂ）は、前記連結体６の側面視形状を示す図である。  
連結体６の外形形状は、下辺部ａのみ所定の曲率半径で曲面状をなしていて、両側辺部ｂと上辺部ｃは平面状をなす。下辺部ａにおける曲面は、上記貫通孔３の直径（φ６０ｍｍ）に合致させていて、貫通孔３内に連結体６を挿通した状態で、連結体６の下辺部ａが貫通孔３の周面一部に密に接触するようになっている。
【００２１】
図３（Ａ）ないし（Ｃ）は、貫通孔３に前記電気配線具５を取付ける作業を順に示す図である。  
図３（Ａ）に示すように、始めの行程として、家屋の壁Ｈに設けられる貫通孔３に対して電気配線具５を対向する。このときの電気配線具５の位置は、室内Ｒと屋外Ｏの、いずれでもよい。たとえば、室内Ｒにおいて電気配線具５を持ってコンセント、たとえば７Ｂを貫通孔３に対向させて、コンセント７Ｂを貫通孔３に挿入する。
【００２２】
図３（Ｂ）に示すように、そのままの状態を保持して電気配線具５を貫通孔３に継続して挿入する。このときは、貫通孔３に冷媒管１が挿通されておらず、極めて円滑に電気配線具５を貫通孔３に挿通できる。
【００２３】
図３（Ｃ）に示すように、挿入側のコンセント７Ｂが貫通孔３から出た位置で、電気配線具５全体を降下させる。電気配線具５における連結体６の全長が壁Ｈの厚さと略同一であるところから、連結体６が貫通孔３に沿うとともに、両側部にあるコンセント７Ａ，７Ｂがそれぞれ、壁Ｈの室内Ｒ側と屋外Ｏ側に露出する。
【００２４】
つぎに、それぞれのコンセント７Ａ，７Ｂに設けられる取付け用孔８に取付けねじ１０を挿通させ、かつ壁Ｈに締結する。したがって、電気配線具５は家屋の壁Ｈに取付け固定されることになる。先に説明したように連結体６の下辺部ａが貫通孔３の周面一部に密に接し、かつ両方のコンセント７Ａ，７Ｂ裏面が壁Ｈに密に接するので、電気配線具５の取付け姿勢がより安定する。
【００２５】
つぎの行程として、貫通孔３の残りのスペースに室内機Ｓから延出されたドレンホース４と１本にまとめた冷媒管１を挿通する。貫通孔３において必要最小限のスペースしか残されていないが、連結体６は剛性を有するので、冷媒管１の挿通にあたっては何らの支障も無く円滑に作業できる。
【００２６】
再び図１に示すように、屋外Ｏに露出した冷媒管１とドレンホース４に対し、断熱材を介してテープを巻装する等の必要な処置をなす。ドレンホース４は屋外Ｏで開口し、冷媒管１は室外機Ｇに接続する。  
そして、室内機Ｓから延出される電気配線（２本の電源線と１本の信号線をまとめたもの）２の先端に設けたプラグＰを、前記電気配線具５の室内Ｒ側に露出するコンセント７Ａに接続する。
【００２７】
さらに、室外機Ｇから延出される電気配線（２本の電源線と１本の信号線をまとめたもの）２の先端に設けたプラグＰを、電気配線具５の屋外Ｏ側に露出するコンセント７Ｂに接続する。したがって、室内機Ｓと室外機Ｇは、電気配線２と電気配線具５を介して互いに電気的に接続されることになる。
【００２８】
このような空気調和機における電気配線構造を用いることで、壁Ｈの貫通孔３は１個だけ設ければよく、従来構造と同様で作業手間の増大がない。  
連結体６の両側部にコンセント（電気接続部）７Ａ，７Ｂを備えた電気配線具５を貫通孔３に挿通し、壁Ｈに電気配線具５を取付けるようにしたから、室内機Ｓと室外機Ｇから延出する電気配線２を容易に接続できて、電気配線作業の向上を得られる。
【００２９】
特に、あらかじめ住宅建築時の電気工事の際に貫通孔３を開けるとともに電気配線具５を取付けておけば、実際の空気調和機据付けの際は、単に、室内機Ｓと室外機Ｇから延出する電気配線２を電気配線具５に接続するだけの作業ですみ、電気配線作業が大幅に容易化できる。
【００３０】
図４は、第２の実施の形態における電気配線具５Ａを示している。  
基本的に、連結体６Ａの両側部にコンセント（電気接続部）７Ａ，７Ｂを設け、連結体６Ａ内に収容する内部電気配線９を介して両コンセント７Ａ，７Ｂを電気的に接続する電気配線具５Ａであることは変りがない。
【００３１】
そして、家屋の壁Ｈに設けられる貫通孔３に電気配線具５Ａを挿通し、コンセント７Ａ，７Ｂを室内Ｒ側と屋外Ｏ側に露出して、室内機Ｓと室外機Ｇそれぞれから延出される電気配線２を接続することも同様である。  
ここでは、前記連結体６Ａの構造に特徴がある。この連結体６Ａは、一方のコンセント７Ａに取付けられる第１の連結体６０ａと、他方のコンセント７Ｂに取付けられる第２の連結体６０ｂとから構成される。
【００３２】
前記第１の連結体６０ａと第２の連結体６０ｂの外観はともに相似形で、有底筒状をなしていて、それぞれの底面部ｄがコンセント７Ａ，７Ｂに取着される。ただし、第１の連結体６０ａの断面積は第２の連結体６０ｂの断面積よりも僅かに大きく形成されていて、互いの開口端を対向させた状態から、第１の連結体６０ａの内部に第２の連結体６０ｂが挿入される。
【００３３】
図のように壁の厚み寸法がＬであるとき、互い連結体６０ａ，６０ｂの開口端が他方の連結体６０ｂ，６０ａの底面部ｄに近い位置にある。換言すれば、第１の連結体６０ａと第２の連結体６０ｂは、それぞれの全長に亘って他方の連結体６０ｂ，６０ａに対して重なり合う状態に設定される。
【００３４】
各連結体６０ａ，６０ｂの底面部ｄには孔部ｅが設けられ、各コンセント７Ａ，７Ｂから延出される内部電気配線９が挿通する。そして、各連結体６０ａ，６０ｂの底面部ｄに仕切り板６１ａ，６１ｂの一端が一体に設けられ、それぞれの他端は開口端近傍位置まで延出される。  
各仕切り板６１ａ，６１ｂは、第２の連結体６０ｂを第１の連結体６０ａ内に挿入するのに少しの障害とならない位置で、かつ互いに並行な状態となるよう設けられる。
【００３５】
一方のコンセント、たとえば７Ａから延出される内部電気配線９は、このコンセント７Ａに取付けられる一方の連結体６０ａの底面部ｄに設けられる孔部ｅを挿通して他方の連結体６０ｂの底面部ｄ方向に延出され、一方の連結体に６０ａに設けられる仕切り板６１ａの先端を越えてＵターン状に折り返し形成される。
【００３６】
内部電気配線９は、前記仕切り板６１ａと他方の連結体６０ｂに設けられる仕切り板６１ｂとの間の空間スペース内を挿通され、この先端を越えてＵターンに折り返し形成され、他方の連結体６０ｂの底面部ｄに設けられる孔部ｅを介して他方のコンセント７Ｂに接続される。すなわち、内部電気配線９は第１、第２の連結体６０ａ，６０ｂ内において略ジグザグ状に曲成される。
【００３７】
図５に示すように、厚み寸法がＬの壁ばかりではなく、これよりもｆ寸法だけ厚い、厚み寸法がＬｆの壁Ｈａの場合もある。このような壁Ｈａの貫通孔３ａにも、先に図４で説明した第２の実施の形態での電気配線具５Ａを用いることができる。
【００３８】
すなわち、一方のコンセント７Ａに第１の連結体６０ａを設け、他方のコンセント７Ｂに第２の連結体６０ｂを設けて、電気配線具５Ａが構成される。そして、一方のコンセント７Ａを室内Ｒに露出させて壁Ｈａに取付け固定する。このコンセント７Ａに取付けられる第１の連結体６０ａ内に屋外Ｏ側から第２の連結体６０ｂを挿入し、他方のコンセント７Ｂを屋外Ｏに露出させて壁Ｈａに取付け固定する。
【００３９】
必然的に、第１の連結体６０ａと第２の連結体６０ｂが互いに抜け出た状態となるが、各連結体６０ａ，６０ｂ内に収容され、各コンセント７Ａ，７Ｂを電気的に接続する内部電気配線９の略ジグザグ形状は変りがない。すなわち、壁Ｈａの厚み寸法が厚くなっても、第１の連結体６０ａと第２の連結体６０ｂの重なり寸法をスライド調整することで、同じ電気配線具５Ａで対応できることとなる。
【００４０】
また、第１の連結体６０ａと第２の連結体６０ｂの全長寸法をはじめから短く設定しておけば、壁の厚み寸法が厚くなっても、薄くなっても対応できる。すなわち、壁の厚み寸法が基準値Ｌであるとき、電気配線具５Ａが図５に示す状態となるように設定しておく。実際の壁の厚み寸法が、基準値Ｌに対して多少の増減があっても、上記電気配線具５Ａを用いれば何らの支障もなく取付けられる。
【００４１】
なお、上述の実施の形態においては、壁Ｈ，Ｈａに設けた貫通孔３，３ａに先に電気配線具５，５Ａを挿通して取付け、後から冷媒管１を挿通するようにしたが、これに限定されるものではない。  
貫通孔３，３ａに対して先に冷媒管１を挿通し、後から電気配線具５，５Ａを挿通して取付けるようにしても良い。ただし、この場合は後述するような専用の電気配線具５Ｂを用いる必要がある。
【００４２】
図６（Ａ）ないし（Ｃ）は、第３の実施の形態における電気配線具５Ｂを貫通孔３に挿通して壁Ｈに取付ける作業を順に示す図であり、図７は、同実施の形態での壁Ｈに取付けられる電気配線具５Ｂの一部縦断面図である。  
先に図７から説明すると、ここで用いられる電気配線具５Ｂは、基本的には先に図４で説明した電気配線具５Ａと同一部分については動番号を付して新たな説明を省略する。
【００４３】
相違点として、一方のコンセント７Ｂが、第２の連結体６０ｂの底面部ｄが取付けられる第１の分割部１００ａと、コンセント７Ｂを備えた第２の分割部１００ｂとに分割されている。さらに、これら第１の分割部１００ａと第２の分割部１００ｂとはヒンジ具１１を介して連結され、外観的には一体構造化されている。
【００４４】
前記ヒンジ具１１は、ばね材を有していて、コンセント７Ｂを備えた第２の分割部１００ｂを２点鎖線で示すように、第１の分割部１００ａに対して直状となるよう弾性的に付勢している。したがって、図７の状態はヒンジ具１１の弾性力に抗して第２の分割部１００ｂを第１の分割部１００ａに対して直角方向に強制的に変位させている。
【００４５】
第１の分割部１００ａと第２の分割部１００ｂとは、内部電気配線９を介して電気的に接続されている。第２の分割部１００ｂが第１の分割部１００ａに対して直状姿勢であるとき、これら分割部１００ａ，１００ｂ相互間から内部電気配線９の一部が露出する。また、第２の分割部１００ｂを第１の分割部１００ａに対して直角方向に変位すれば、当然ながら内部電気配線９はこれら分割部１００ａ，１００ｂ内に収容され、外部からは見えない。
【００４６】
図６（Ａ）に示すように、予め貫通孔３に冷媒管１を挿通する。電気配線具５Ｂは、第１の分割部１００ａと第２の分割部１００ｂとから構成される一方のコンセント７Ｂを先にして貫通孔３に対向する。この状態で、ヒンジ具１１の弾性力が作用して、第２の分割部１００ｂは第１の分割部１００ａに対して直状姿勢となっている。
【００４７】
図６（Ｂ）に示すように、冷媒管１が挿通する貫通孔３の残りのスペースに電気配線具５Ｂの先端である第２の分割部１００ｂから挿通する。このとき、第２の分割部１００ｂはコンセント７Ｂの厚みそのものであり、連結体６Ｂの厚みと略同一であるから、貫通孔３の残りのスペースに電気配線具５Ｂを挿通するのに少しの支障もない。
【００４８】
図６（Ｃ）に示すように、他方のコンセント７Ａが壁Ｈに当接したら電気配線具５Ｂの挿通を停止し、第２の分割部１００ｂをヒンジ具１１の弾性力に抗して直角方向に折曲げる。そして、折り曲げたコンセント７Ａの取付け用孔８に取付けねじ１０を挿通して壁Ｈに取付け、他方のコンセント７Ｂの取付け用孔８に取付けねじ１０を挿通して壁Ｈに取付ける。
【００４９】
上述の電気配線具５Ｂでは、当然ながら、先に貫通孔３に電気配線具５Ｂを挿通して壁Ｈに取付け、後から冷媒管１を貫通孔３に挿通して取付けるようにしてもよい。  
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【００５０】
Ｓ…室内機、Ｇ…室外機、１…冷媒管、２…電気配線、５…電気配線具、６…連結体、７Ａ，７Ｂ…コンセント（電気接続部）、９…内部電気配線、Ｈ…壁、３…貫通孔。
【図１】
2010255990.tif 000003
【図２】
2010255990.tif 000004
【図３】
2010255990.tif 000005
【図４】
2010255990.tif 000006
【図５】
2010255990.tif 000007
【図６】
2010255990.tif 000008
【図７】
2010255990.tif 000009